(57)【要約】【課題】設置場所の制約の少ない、また、効率的・経済的に設置することができる太陽電池パネル架台及びその設置方法を提供する。【解決手段】太陽電池パネル架台100は、太陽電池パネルを配設する単位枠が長手方向に接合されてなり、前記単位枠は、長手方向前後に並設された一定長の横部材10A、10Bと、それらの横部材10A、10Bの両端から中心方向に入り込んだ腕相当位置に設けられ、それらの横部材10A、10Bを接合する連結腕A20と連結腕B30と、その連結腕A20に接合され地中に打ち込まれる杭部材40とを有し、前記単位枠において、長手方向前側の単位枠の後の横部材10Bと、これに接合される後側の単位枠の前の横部材10Aとが両端において接合部材50により接合され、前記太陽電池パネル架台100において前記杭部材40は、千鳥に配設されてなる。【選択図】図１
2013207269.tif 000002
【特許請求の範囲】
【請求項１】
2〜10枚の太陽電池パネルが配設される単位枠が長手方向に接合されてなる太陽電池パネル架台であって、
前記単位枠は、長手方向前後に並設された一定長の横部材と、それらの横部材の両端から中心方向に入り込んだ左右の腕相当位置に対向して設けられ、それらの横部材を接合する連結腕Aと連結腕Bと、その連結腕Aに接合され地中に打ち込まれる杭部材とを有し、
前記単位枠において、長手方向前側の単位枠の後の横部材と、これに接合される後側の単位枠の前の横部材とが両端において接合部材により接合され、
前記太陽電池パネル架台において前記杭部材は、千鳥に配設されてなる太陽電池パネル架台。
【請求項２】
連結腕Aは、その軸方向に移動し、軸回りに回転し、または杭部材と揺動可能に連結されるとともにその杭部材に当該連結腕Aを接合する中連結手段を有することを特徴とする請求項１に記載の太陽電池パネル架台。
【請求項３】
連結腕Aは、当該連結腕Aを横部材に沿って移動可能であるとともにその横部材に接合する端連結手段を有することを特徴とする請求項２に記載の太陽電池パネル架台。
【請求項４】
横部材は、角形、溝形、Ｉ形又はＨ形の断面を有することを特徴とする請求項１〜３のいずれか一項に記載の太陽電池パネル架台。
【請求項５】
杭部材は、連結腕Aとの連結高さを調整する高さ調整手段を有することを特徴とする請求項１〜４のいずれか一項に記載の太陽電池パネル架台。
【請求項６】
2〜10枚の太陽電池パネルが配設される単位枠が長手方向に接合されてなる太陽電池パネル架台であって、
前記単位枠において、最初の単位枠と最後にあるn番目の単位枠は、長手方向前後に並設された一定長の横部材と、それらの横部材の両端から中心方向に入り込んだ左右の腕相当位置に対向して設けられ、それらの横部材を接合する２つの連結腕Aと、それぞれの連結腕Aに接合され地中に打ち込まれる２つの杭部材とを有し、
2番目の単位枠から（n-1）番目の単位枠は、長手方向前後に並設された一定長の横部材と、それらの横部材の両端から中心方向に入り込んだ左右の腕相当位置に対向して設けられ、それらの横部材を接合する連結腕Aと連結腕Bと、その連結腕Aに接合され地中に打ち込まれる杭部材とを有するとともに、その杭部材は前記太陽電池パネル架台において千鳥に配設され、
前記各単位枠は、長手方向前側の単位枠の後の横部材と、これに接合される後側の単位枠の前の横部材とが両端において接合部材により接合されてなる太陽電池パネル架台。
【請求項７】
2〜10枚の太陽電池パネルが配設される単位枠が長手方向に接合されてなる太陽電池パネル架台であって、
前記単位枠において、長手方向奇数番目の単位枠は、長手方向前後に並設された一定長の横部材と、それらの横部材の両端から中心方向に入り込んだ左右の腕相当位置に対向して設けられ、それらの横部材を接合する２つの連結腕Aと、それぞれの連結腕Aに接合され地中に打ち込まれる２つの杭部材とを有し、
偶数番目の単位枠は、長手方向前後に並設された一定長の横部材と、それらの横部材の両端から中心方向に入り込んだ左右の腕相当位置に対向して設けられ、それらの横部材を接合する連結腕Bとを有し、
前記各単位枠において、長手方向前側の単位枠の後の横部材と、これに接合される後側の単位枠の前の横部材とが両端において接合部材により接合されてなる太陽電池パネル架台。
【請求項８】
請求項１〜７のいずれか一項に記載の太陽電池パネル架台の設置方法であって、
太陽電池パネル架台が設置される所定箇所の地形に合わせて太陽電池パネルを配設するパネル設置面を定める段階と、
前記パネル設置面に基づいて、横部材、連結腕A、連結腕B及び接合部材により構成される架台設置面を求める段階と、
前記架台設置面に基づいて、各杭部材の位置、方向及び高さを定めた杭打ち目安を求める段階と、
前記杭打ち目安に基づいて各杭部材の仮杭打ちを行う段階と、
前記仮杭打ちにより最終的に定めた杭部材の位置に対応する前記架台設置面における各杭部材の修正された位置、方向及び高さになるように本杭打ちを行う段階と、
前記本杭打ちされた各杭部材を基に連結腕A、横部材、連結腕B及び接合部材を連結し、接合を行って架台設置面を形成する段階と、を有する太陽電池パネル架台の設置方法。
【請求項９】
連結腕Aを杭部材に連結するに際し、その連結腕Aの中連結手段の軸方向位置、軸回り回転角及び杭部材との揺動角を、杭部材の修正位置、方向及び高さに基づいて予め定めておくことを特徴とする請求項８に記載の太陽電池パネル架台の設置方法。
【発明の詳細な説明】
【技術分野】
【０００１】
本発明は、大規模太陽光発電に好適な太陽電池パネル架台及びその設置方法に関する。
【背景技術】
【０００２】
近年、エネルギー確保の方法が世界的に模索されており、自然エネルギーを利用した方法が重要視されている。特に原子力発電の将来性が危ぶまれるなか、大規模太陽光発電は注目されている。しかしながら、太陽光発電は、原子力発電に比較すれば発電コストが高く経済性を高めることが求められており、我が国においては、大規模太陽光発電を効率的に行うには地形上の制約もあり、大規模太陽光発電の開発は進んでいない。
【０００３】
このような状況下において、例えば特許文献１に、地盤沈下の恐れがある海岸等の埋立地を利用した場所において大規模太陽光発電を行うための太陽電池パネル架台構造および太陽光発電システムが提案されている。この太陽電池パネル架台構造は、３つの基礎ブロックに3点支持されたパネル架台要素を単位とし、これを非連結状態に並べて大規模用の太陽電池パネル架台を形成するものであり、安価、簡易、かつメンテナンス容易な構造で、個々のパネル架台要素が不等沈下しても太陽電池パネルの平板形状を維持できるとされる。
【０００４】
特許文献２には、大規模太陽光発電には非常に多くの太陽電池パネルを並べて設置しなければならないことを考慮して、安価で容易に連結し長尺化することができる桟とその桟を支持する基礎から構成される太陽電池パネル用の構造物設置用架台、構造物設置用架台の施工方法、及び太陽電池システムが提案されている。
【先行技術文献】
【特許文献】
【０００５】
【特許文献１】特開2011-77194号公報
【特許文献２】特開2011-52519号公報
【発明の概要】
【発明が解決しようとする課題】
【０００６】
我が国において大規模太陽光発電を促進するには、経済性が高く地形上の制約が少ない太陽電池パネル架台又はそのような太陽電池パネル架台の設置方法が必要である。かかる観点からすると、特許文献１に提案された太陽電池パネル架台構造は、地形上の制約があり、また、パネル架台要素を非連結状態に並べて太陽電池パネル架台構造を形成するものであり空間効率を低くする恐れがある。
【０００７】
特許文献２に提案された構造物設置用架台は、太陽電池パネルの設置面が平面状であることが必要であり、設置場所の制約がある。また、特許文献１に提案の太陽電池パネル架台構造、特許文献２に提案の構造物設置用架台は、ともにコンクリート等のブロック基礎に支持される構造になっているので、さらにそれらの架台を地面に固定する基礎工事が必要になるという問題がある。
【０００８】
本発明は、大規模太陽光発電に使用される従来の太陽電池パネル架台の問題に鑑み、設置場所の制約の少ない、また、効率的・経済的に設置することができる太陽電池パネル架台及びその設置方法を提供することを目的とする。
【課題を解決するための手段】
【０００９】
本発明に係る太陽電池パネル架台は、2〜10枚の太陽電池パネルを配設する単位枠が長手方向に接合されてなる太陽電池パネル架台であって、前記単位枠は、長手方向前後に並設された一定長の横部材と、それらの横部材の両端から中心方向に入り込んだ左右の腕相当位置に対向して設けられ、それらの横部材を接合する連結腕Aと連結腕Bと、その連結腕Aに接合され地中に打ち込まれる杭部材とを有し、前記単位枠において、長手方向前側の単位枠の後の横部材と、これに接合される後側の単位枠の前の横部材とが両端において接合部材により接合され、前記太陽電池パネル架台において前記杭部材は、千鳥に配設されてなる。
【００１０】
上記発明において、連結腕Aは、その軸方向に移動し、軸回りに回転し、または杭部材と揺動可能に連結されるとともにその杭部材に当該連結腕Aを接合する中連結手段を有するのがよい。また、連結腕Aは、当該連結腕Aを横部材に沿って移動可能であるとともにその横部材に接合する端連結手段を有するのがよい。
【００１１】
横部材は、角形、溝形、Ｉ形又はＨ形の断面を有するのがよく、杭部材は、連結腕Aとの連結高さを調整する高さ調整手段を有するのがよい。
【００１２】
また、本発明に係る太陽電池パネル架台は、2〜10枚の太陽電池パネルが配設される単位枠が長手方向に接合されてなる太陽電池パネル架台であって、前記単位枠において、最初の単位枠と最後にあるn番目の単位枠は、長手方向前後に並設された一定長の横部材と、それらの横部材の両端から中心方向に入り込んだ左右の腕相当位置に対向して設けられ、それらの横部材を接合する２つの連結腕Aと、それぞれの連結腕Aに接合され地中に打ち込まれる２つの杭部材とを有し、2番目の単位枠から（n-1）番目の単位枠は、長手方向前後に並設された一定長の横部材と、それらの横部材の両端から中心方向に入り込んだ左右の腕相当位置に対向して設けられ、それらの横部材を接合する連結腕Aと連結腕Bと、その連結腕Aに接合され地中に打ち込まれる杭部材とを有するとともに、その杭部材は前記太陽電池パネル架台において千鳥に配設され、前記各単位枠は、長手方向前側の単位枠の後の横部材と、これに接合される後側の単位枠の前の横部材とが両端において接合部材により接合されてなるものとすることができる。
【００１３】
また、本発明に係る太陽電池パネル架台は、2〜10枚の太陽電池パネルが配設される単位枠が長手方向に接合されてなる太陽電池パネル架台であって、前記単位枠において、長手方向奇数番目の単位枠は、長手方向前後に並設された一定長の横部材と、それらの横部材の両端から中心方向に入り込んだ左右の腕相当位置に対向して設けられ、それらの横部材を接合する２つの連結腕Aと、それぞれの連結腕Aに接合され地中に打ち込まれる２つの杭部材とを有し、偶数番目の単位枠は、長手方向前後に並設された一定長の横部材と、それらの横部材の両端から中心方向に入り込んだ左右の腕相当位置に対向して設けられ、それらの横部材を接合する連結腕Bとを有し、前記各単位枠において、長手方向前側の単位枠の後の横部材と、これに接合される後側の単位枠の前の横部材とが両端において接合部材により接合されてなるものとすることができる。
【００１４】
上記太陽電池パネル架台は、以下のように設置するのがよい。すなわち、本太陽電池パネル架台の設置方法は、太陽電池パネル架台が設置される所定箇所の地形に合わせて太陽電池パネルを配設するパネル設置面を定める段階と、前記パネル設置面に基づいて、横部材、連結腕A、連結腕B及び接合部材により構成される架台設置面を求める段階と、前記架台設置面に基づいて、各杭部材の位置、方向及び高さを定めた杭打ち目安を求める段階と、前記杭打ち目安に基づいて各杭部材の仮杭打ちを行う段階と、前記仮杭打ちにより最終的に定めた杭部材の位置に対応する前記架台設置面における各杭部材の修正された位置、方向及び高さになるように本杭打ちを行う段階と、前記本杭打ちされた各杭部材を基に連結腕A、横部材、連結腕B及び接合部材を連結し、接合を行って架台設置面を形成する段階と、を有して実施される。
【００１５】
上記太陽電池パネル架台の設置方法において、連結腕Aを杭部材に連結するに際し、その連結腕Aの中連結手段の軸方向位置、軸回り回転角及び杭部材との揺動角を、杭部材の修正位置、方向及び高さに基づいて予め定めておくのがよい。
【発明の効果】
【００１６】
本発明によれば、大規模太陽光発電に好適な太陽電池パネル架台を提供することができる。本発明に係る太陽電池パネル架台は、発電効率を考慮して求められた地形が起伏を有する場所であっても、軟弱な地盤であっても容易に設置することができ、かつ、効率的・経済的に設置することができる。
【図面の簡単な説明】
【００１７】
【図１】本発明に係る太陽電池パネル架台の構成を示す説明図である。
【図２】図１の太陽電池パネル架台を形成する各構成部材及び連結関係を示す模式図である。
【図３】太陽電池パネルの横部材への取付けを示す説明図である。
【図４】本発明に係る太陽電池パネル架台の他の構成例を示す説明図である。
【図５】本発明に係る太陽電池パネル架台の設置方法を示す説明図である。
【発明を実施するための形態】
【００１８】
以下、本発明を実施するための形態について図面を基に説明する。図１は、本発明に係る太陽電池パネル架台の構成例を示す。図１において、一点鎖線は、太陽電池パネルを示す。図１に示すように、太陽電池パネル60は一般的に長方形形状をしており、本例の太陽電池パネル架台100は、横方向に3枚並んだ太陽電池パネル60が長手方向に多数配設される構成になっている。すなわち、横方向に3枚の太陽電池パネルを取り付ける単位枠が長手方向に接合された構成になっている。単位枠は、長手方向前後に並設された一定長の横部材10Aと横部材10Bを有している。そして、前の横部材10Aと後の横部材10Bの両端から中心方向に入り込んだ左右の腕相当位置に対向して設けられ、それらの横部材10Aと横部材10Bを接合する連結腕A20と連結腕B30とを有し、その連結腕A20に接合され地中に打ち込まれる杭部材40を有している。そして、太陽電池パネル架台100は、長手方向前側の単位枠の後の横部材10Bと、これに接合される後側の単位枠の前の横部材10Aとが両端において接合部材50により接合されている。また、杭部材40は、太陽電池パネル架台100において千鳥に配設されている。
【００１９】
本発明において、横部材10の腕相当位置とは、横部材10の両端をそれぞれ頭部と足部とすると、ちょうど腕部に相当する位置という意味である。また、前後関係は、長手方向（図１に示す矢印方向）に向かって手前側が前、矢先側が後である。最初（1番目）の単位枠とは、太陽電池パネル架台の長手方向最も手前の単位枠をいい、最後の単位枠とは先端の単位枠をいう。また、接合とは、ネジ結合などにより連結・固定することを意味し、仮止め状態では相互に移動又は回転をすることができ、本止めによって一体に結合される結合方法又は状態を意味する。
【００２０】
本発明に係る太陽電池パネル架台において、横部材10は、一定長のものが使用される。太陽電池パネルは、発電効率を高くするため太陽光の方向を考慮し、一般に10〜40°に傾斜して設置される。このため、太陽電池パネル架台の傾斜面方向（横方向）の長さは一定にするとともに、傾斜面方向と直角方向（縦方向又は長手方向）はその設置場所に応じてできるだけ長くするのが効率的で経済的な太陽電池パネル架台を構成することができる。また、一定長の横部材10を使用することにより、取扱性、経済性を高めることができる。横部材10の長さは、2〜5mにすることができる。横部材10の長さは、太陽電池パネル60が2〜10枚配設される長さが選ばれる。
【００２１】
また、横部材10は、太陽電池パネルの自重による負荷に耐える方向の断面二次モーメントが大きい断面を有するものが好ましい。そして、太陽電池パネルを容易に取り付けることができるような平面を有する横部材10が好ましい。横部材10は、図２に示すように長方形状の角形パイプを使用するのがよい。横部材10として一般構造用角形鋼を使用することができる。これにより軽量かつ経済的な太陽電池パネル架台を構成することができる。なお、横部材10として、溝形、Ｉ形又はＨ形の断面を有するものも使用することができる。角形、溝形等の断面形状を有する横部材10は、内部に水が溜まり難く乾燥しやすいように両端部は開口したままの方がよい。
【００２２】
連結腕A20は、前後に並設された横部材10A、10Bの両端から中心方向に入った腕相当位置を接合する機能を有する。この連結腕A20が横部材10に接合される腕相当位置は、以下に説明するように、本発明においては変更できるようになっていることに特徴を有する。すなわち、太陽電池パネル架台が設置される地形や地質等に応じて実際に杭打ちされる杭部材40の位置に応じて連結腕A20を横部材10に接合する位置（腕相当位置）が変更できるようになっている。
【００２３】
また、連結腕A20は、図１に示すように、太陽電池パネル架台において千鳥に配設されている。すなわち、本発明に係る太陽電池パネル架台においては、杭部材40が千鳥に配設されている。これにより、連結腕A20と杭部材40の必要本数を少なくすることができ、太陽電池パネル架台の設置コストを下げることができる。また、各連結腕A20は、それぞれの杭部材40を介して太陽電池パネル架台に作用する重力負荷や風等による環境負荷を効率よく均等に負担することができる。
【００２４】
連結腕A20は、図２に示すように、軸体21の両端に端連結手段23を有し、中部に中連結手段25を有している。中連結手段25は、管体26にブラケット27を有し、長穴28が設けられている。軸体21及び管体26は、円管状のものが好ましい。また、軸体21には、管体26の長穴28に対する長穴24が設けられ、長穴28を貫通してネジ29が取り付けられるようになっている。これにより、管体26は、長穴24及び長穴28により軸体21に沿って移動し、軸体21の回りに回転できるようになっており、ネジ29により管体26と軸体21は一体に接合されるようになっている。管体26の移動可能な範囲は、以下に説明する太陽電池パネル架台の設置方法における杭部材40の施工位置の移動可能範囲に相当するようになっており、20〜40cm移動可能になっている。管体26の軸回りに回転可能な範囲は、横部材10の傾斜角に応じて対応することができる範囲に定められる。
【００２５】
連結腕A20の端連結手段23は、横部材10が貫通するように角管状をしており、連結腕A20は横部材10に沿って移動可能になっている。そして、連結腕A20はネジ等により横部材10と一体に接合されるようになっている。また、中連結手段25のブラケット27は、杭部材40のブラケット47と接合されるようになっている。
【００２６】
連結腕B30は、連結腕A20が横部材10に接合される腕相当位置に対向する横部材10の腕相当位置に接合される。連結腕B30は、図２に示すように、軸体31と端連結手段33を有している。軸体31と端連結手段33は、それぞれ連結腕A20の軸体21と端連結手段23を共用することができる。なお、軸体31は、軸体21の長穴24のないものを使用することができる。
【００２７】
杭部材40は、図２に示すように、軸体41とその軸体41に被さる形態のキャップ45を有している。軸体41にはネジ穴43が設けられ、キャップ45の穴48を通してネジ44によりキャップ45を軸体41に固定することができる。キャップ45の穴48は、複数個設けることができ、本例の場合は3個設けられている。また、キャップ45はブラケット47を有し、ネジ49により、連結腕A20のブラケット27と揺動可能に連結され、また、連結腕A20と杭部材40が一体に接合される。ネジ49を締める穴48の位置を調整することによって、杭部材40と連結腕A20との連結高さを調整することができる。すなわち、杭部材40は、連結腕A20との連結高さを調整する高さ調整手段を有する。
【００２８】
軸体41は、円形パイプを使用することができ、その長さは2〜3mにすることができる。軸体41の地中に打ち込まれる長さは、一般に、1.5〜2.5mである。
【００２９】
接合部材50は、前述のように前側の単位枠を形成する横部材10Bと、後側の単位枠を形成する横部材10Aの両端を接合している。接合部材50は、図２に示すように、軸体51と端連結手段53を有している。上記横部材10Bと横部材10Aの間隔（スパン）は、同一の単一枠を形成する横部材10Aと横部材10Bの間隔の約1/2になっている。軸体51は、連結腕B30の軸体31の素材を共用することができる。端連結手段53は、連結腕B30の端連結手段33を共用することができる。なお、軸体51の端連結手段53を横部材10（10B、10A）の端面部の接合に好適な形状のものにすることができる。
【００３０】
本太陽電池パネル架台100において、太陽電池パネルは、例えば図３に示すように取り付けることができる。図３（ａ）は、図１のイ部分の取付を示し、図３（ｂ）は、ロ部分の取付を示す。図３において、太陽電池パネル60は、太陽電池セル63が枠65に保持・固定される形態をしており、太陽電池パネル60はネジ67を介して横部材10に取り付けることができる。
【００３１】
以上、太陽電池パネル架台100について説明したが、本発明に係る太陽電池パネル架台は、図１に示す実施例に限定されない。例えば、図４に示す構成のものも含むことができる。図４（ａ）に示す太陽電池パネル架台101は、最初の単位枠と最後の単位枠が、対向する２つの連結腕A20と杭部材40とを有することに特徴がある。すなわち、1番目の単位枠とn番目の単位枠は、長手方向前後に並設された一定長の横部材10A、10Bと、それらの横部材10A、10Bの両端から中心方向に入り込んだ左右の腕相当位置に対向して設けられ、それらの横部材10A、10Bを接合する２つの連結腕A20と、それぞれその２つの連結腕A20に接合され地中に打ち込まれる２つの杭部材40とを有している。そして、2番目の単位枠から（n-1）番目の単位枠は、長手方向前後に並設された一定長の横部材10A、10Bと、それらの横部材10A、10Bの両端から中心方向に入り込んだ左右の腕相当位置に対向して設けられ、それらの横部材10A、10Bを接合する連結腕A20と連結腕B30と、その連結腕A20に接合され地中に打ち込まれる杭部材40とを有するとともに、その杭部材40は前記太陽電池パネル架台において千鳥に配設されている。そして、各単位枠は、長手方向前側の単位枠の後の横部材10Bと、これに接合される後側の単位枠の前の横部材10Aとが両端において接合部材50により接合されている。この太陽電池パネル架台101は、最初と最後の単位枠が2本の杭部材40で地上に固定されるのでその設置強度を高めることができる。
【００３２】
また、図４（ｂ）に示す太陽電池パネル架台102は、奇数番目の単位枠が太陽電池パネル架台101の最初又は最後の単位枠と同様な構成を有しているが、偶数番目の単位枠は連結腕A20がなく、連結腕B30のみを有していることに特徴がある。すなわち、太陽電池パネル架台102においては、長手方向奇数番目の単位枠は、長手方向前後に並設された一定長の横部材10A、10Bと、それらの横部材10A、10Bの両端から中心方向に入り込んだ左右の腕相当位置に対向して設けられ、それらの横部材を接合する２つの連結腕A20と、その２つの連結腕A20に接合され地中に打ち込まれる２つの杭部材40とを有している。そして、偶数番目の単位枠は、長手方向前後に並設された一定長の横部材10A、10Bと、それらの横部材10A、10Bの両端から中心方向に入り込んだ左右の腕相当位置に対向して設けられ、それらの横部材10A、10Bを接合する連結腕B30とを有している。そして、上記各単位枠において、長手方向前側の単位枠の後の横部材10Bと、これに接合される後側の単位枠の前の横部材10Aとが両端において接合部材50により接合されている。本太陽電池パネル架台102は、配設する太陽電池パネルのサイズ、設置される場所、地質等を考慮して採用される。
【００３３】
以上、本発明に係る太陽電池パネル架台について説明した。本太陽電池パネル架台は、以下に説明するように設置するのがよい。すなわち、先ず、太陽電池パネル架台が設置される所定箇所の地形に合わせて太陽電池パネルを配設するパネル設置面を定める。パネル設置面は、例えば、図５に示すように定めることができる。すなわち、地表1の形状を示す箇所に太陽電池パネル5aが配設されるパネル設置面5を定める。この場合、先ず地表1からh1の高さの基準点3を定め、地表1の地形や地質等を考慮して基準点3を起点する基線4を定めるのがよい。基線4の方向は、太陽電池パネル架台の長手方向に相当する。次に、基線4に横部材を配列させる間隔に相当する分点y1、y2、y3・・を求め、基準点3及び各分点y1、y2、y3・・・から基線4に直角方向、すなわち横部材を配設する方向に横部材に相当する一定長さLの線分6（61、62、63・・）を求める。このとき、線分6の先端部の高さh2は、所定の傾斜角になるように定められる。基線4と線分6、61、62、63・・から構成される面をパネル設置面5と定める。
【００３４】
パネル設置面5について、図３に示すように太陽電池パネル60を横部材10に取り付ける取付面66をパネル設置面5になるようにすれば、パネル設置面5は、横部材、連結腕A、連結腕B、接合部材により構成される架台設置面に相当する。そうすると、この架台設置面に基づいて杭部材に相当する杭位置7、方向及び高さを求めることができる。すなわち、各杭部材が配設されるその杭位置7、方向及び高さを定めた杭打ち目安を求めることができる。なお、杭部材の方向とは、杭部材40のブラケット47の面の方向及びそのブラケット47と連結腕Aのブラケット27とがなす揺動角を定める方向をいう。
【００３５】
次に、杭打ち目安に基づいて、太陽電池パネル架台が設置される所定箇所において杭部材の仮打ち込みを行う。この仮打ち込みは、現地で実際に杭部材の打ち込みを行う場合は、地形や地質により必ずしも所定の位置及び深さに杭打ち込みができない場合を想定して行うものである。従って、杭打ち込みに何らの問題がない場合は、杭打ち目安に基づいた杭打ち込みが行われる。すなわち、この場合は、杭打ち目安に基づいた位置、方向及び高さが、施工杭位置、方向及び高さとなる。
【００３６】
これに対し、杭打ち込みに問題がある場合は、杭部材の打ち込み場所を変更する。この場所の変更は、20〜40cmの範囲にずらせて行われる。このずらす範囲は、一般に杭位置をずらせば問題がない範囲に選ばれる。ずらした位置において仮杭打ち込みを行い問題がない場合はその位置を施工杭位置とし、架台設置面から当該施工杭位置における修正された方向及び高さを求め、これを施工杭方向及び高さとする。この施工杭位置、方向及び高さにより杭部材の本杭打ちを行う。
【００３７】
次に、本杭打ちされた各杭部材に連結腕Aを取り付け、横部材を挿通する。そして、連結腕B及び接合部材を取り付ける。この作業により、仮架台設置面が形成される。この作業は、同一形状の横部材等を同一方法で取り付けるので、効率的かつ迅速に行うことができる。なお、この仮架台設置面の形成において、杭部材40のブラケット47と連結腕A20のブラケット27との連結高さ、および、杭部材40のブラケット47に対する連結腕A20のブラケット27の揺動角が所定の大きさになるように、連結腕A20の中連結手段25の位置及び回転角度の調整と、杭部材40のキャップ45の穴位置調整が予め行われていると、仮架台設置面の形成を効率的に行うことができる。
【００３８】
最後に、それぞれの各接合部分、すなわち、連結腕A20と杭部材40及び横部材10、連結腕B30と横部材10、接合部材50と横部材10などの各接合部分の調整を行い、その後に完全に接合する。これにより、架台設置面が形成され、太陽電池パネル架台が完成する。
【００３９】
図５に示すように、このように形成された太陽電池パネル架台の端面から所定間隔Sをとって、同様に太陽電池パネル架台を次々に設置するならば、大規模太陽光発電に好適な太陽電池パネル架台群を構成することができる。なお、所定間隔Sは、手前の太陽電池パネル架台により形成される影により次に設置される太陽電池パネル架台の太陽電池が影響を受けない又は影響の少ない間隔に定められる。
【００４０】
上記太陽電池パネル架台設置方法において、基線1を定める場合に、基線上の相隣る分点における地表高差が20cm以内である場合は、それらの分点は同一平面上に有るように定めるのが良い。なお、基線1は、曲線又は折れ線とすることができる。
【符号の説明】
【００４１】
1    地表
3    基点
4    基線
5    パネル設置面（架台設置面）
6    杭部材位置
7    横部材位置
10、10A、10B    横部材A
20    連結腕A
21    軸体
23    端連結手段
24    長穴
25    中連結手段
26    管体
27    ブラケット
28    長穴
29    ネジ
30    連結腕B
31    軸体
33    端連結手段
40    杭部材
41    軸体
43    ネジ穴
44    ネジ
45    キャップ
47    ブラケット
48    穴
49    ネジ
50    接合部材
51    軸体
53    端連結手段
60    太陽電池パネル
63    太陽電池セル
65    枠
66    取付面
67    ネジ
100〜101    太陽電池パネル架台
【図１】
2013207269.tif 000003
【図２】
2013207269.tif 000004
【図３】
2013207269.tif 000005
【図４】
2013207269.tif 000006
【図５】
2013207269.tif 000007